(57)【特許請求の範囲】
【請求項１】
壁面に形成された取付穴に取り付けられた配線器具と前記壁面との間を塞いで取り付けられるプレート枠と、このプレート枠の表面に前記配線器具を露出させた状態で配設される化粧プレートとからなり、前記プレート枠が、互いに対向させた遊端部において連結可能なほぼコ字形を呈する一対の側部材と、これらの側部材の間に連結されるほぼＩ形を呈する中間部材とからなる配線器具用化粧プレートであって、前記互いに接続される前記一対の側部材の間、および互いに接続される前記側部材と中間部材との間に架設される配線器具へのプレート枠取付ねじ孔が形成された結合部材を有することを特徴とする配線器具用化粧プレート。
【請求項２】
前記側部材または中間部材に前記結合部材が一体的に形成されている請求項１記載の配線器具用化粧プレート。
【発明の詳細な説明】
【０００１】
【発明の属する技術分野】
本発明は、コンセントやスイッチ等の配線器具を壁面等に取り付ける際に用いられる化粧プレートに関するものである。
【０００２】
【従来の技術】
従来、コンセントやスイッチ等の配線器具を例えば配線器具取付用ボックスや中空壁用取付具等を用いて室内の壁面等に取り付ける際に、表面に配線器具用化粧プレートが装着されている。
【０００３】
図１６は従来の配線器具用化粧プレートの一例を示すものであり、配線器具用化粧プレート１は、壁面の裏側に沿って配置された配線器具取付用ボックスや中空壁用取付枠等（図示せず）に配線器具取付枠４を介して取り付けられた配線器具５にプレート枠取付ねじ５１，５１により装着されるプレート枠２と、このプレート枠２に形成されている前記配線器具取付枠４を装着するための装着窓２１を、配線器具５を露出させた状態で覆う化粧プレート３とからなる。
【０００４】
そして、近頃では、室内で使用される電気器具の種類が増え、更には制御手段が複雑となっている。そのため、例えば配線器具取付枠４を横方向に連設することが行われており、図１７に示すように複数個の装着窓２１が所定の間隔で横方向へ連設されているプレート枠２が用いられている。
【０００５】
ところが、従来のプレート枠２は、装着窓２１の数に応じたものを、使用状態を想定して予め用意しておかなければならず、型材等の作成の点で多額の費用を要し経済的にきわめて不利であるとともに、管理や保管の面でも無駄が生じる、という問題点があり、殊に、多数の装着窓２１を連設したものは、使用頻度が少なく大型の金型を必要とするなど経済的にきわめて不利である。
【０００６】
【発明が解決しようとする課題】
本発明はかかる実情に鑑みてなされたものであり、少ない部品点数で構成され、従って、製造、経済面できわめて有利であるとともに、管理や保管の面でも優れたプレート枠を有する配線器具用化粧プレートを提供することを課題とするものである。
【０００７】
【課題を解決するための手段】
前記課題を解決するため本発明は、壁面に形成された取付穴に取り付けられた配線器具と前記壁面との間を塞いで取り付けられるプレート枠と、このプレート枠の表面に前記配線器具を露出させた状態で配設される化粧プレートとからなり、前記プレート枠が、互いに対向させた遊端部において連結可能なほぼコ字形を呈する一対の側部材と、これらの側部材の間に連結されるほぼＩ形を呈する中間部材とからなる配線器具用化粧プレートであって、互いに接続される前記一対の側部材の間、および互いに接続される前記側部材と中間部材との間に架設される配線器具へのプレート枠取付ねじ孔が形成された結合部材を有することを特徴とする。
【０００８】
また、本発明において 前記側部材または中間部材に前記結合部材が一体的に形成されていると好ましい。
【０００９】
【発明の実施の形態】
次に本発明の実施の形態について説明する。尚、前記従来例と同一構成部には同一符号を付した。
【００１０】
図１乃至図６は配線器具５を取り付けた２個の配線器具取付枠４用の装着窓２１を有する本発明の好ましい実施の形態の一つを示すものであり、配線器具用化粧プレート１は、プレート枠２と化粧プレート３，３とからなる。
【００１１】
そして、プレート枠２は、図１に示すように、ほぼコ字形を呈する一対の側部材２２，２２と、これらの側部材２２，２２の間に連結されるほぼＩ形を呈する中間部材２３と、前記一対の側部材２２，２２の間、および互いに接続される前記側部材２２，２２と中間部材２３との間に架設される結合部材２４とからなる。
【００１２】
更に詳しく説明すると、各側部材２２は、図２に示すように硬質合成樹脂により全体がほぼコ字形に形成されているとともに、一方の遊端部２２１の先端部には連結用のボス２２２が、もう一方の遊端部２２３の先端部には前記ボス２２２を差込み連結可能なボス孔２２４がそれぞれ形成されているとともに、縦長な基端部２２５の内側に化粧プレート３を面一に嵌装させる段部２２６が形成されている。
【００１３】
基端部２２５と遊端部２２１および遊端部２２３とが交差する内側角部には図３に示す結合部材２４の両端に形成された係止部２４１の係止孔２２７が形成されており、殊に、ボス２２２を除く遊端部２２１の張り出し長さａは配線器具の取り付け間隔ｂのほぼ１／２となっている（図１参照）。
【００１４】
また、中間部材２３は、図４に示すように合成樹脂により全体がほぼＩ形に形成されているとともに、縦長な基端部２３１の上下端に、一端に前記ボス２２２と同じボス２３２を、もう一端に前記ボス孔２２４と同じボス孔２３３を有しており、ボス２３２を除いた長さｃが配線器具の取り付け間隔ｂにほぼ等しい（図１参照）横部材２３４，２３４がそれぞれ左右方向対称に形成されている。
【００１５】
更に、中間部材２３における基端部２３１の両側端には、化粧プレート３を面一に嵌装させる段部２３５，２３５がそれぞれ形成されているとともに、基端部２３１と横部材２３４，２３４とが交差する各内側角部には前記結合部材２４の両端に形成された係止部２４１の係止孔２３８がそれぞれ形成されている。
【００１６】
そして、図１（Ａ）に示すように、側部材２２，２２のボス２２２およびボス孔２２４に、互いに対向する中間部材２３のボス孔２３３およびボス２３２をそれぞれ連結するとともに、互いに対抗して配置される係止孔２２７，２３８に結合部材２４の両端に折り曲げ形成された係止部２４１，２４１を係止して側部材２２、中間部材２３、側部材２２を順次連結して図１（Ｂ）に示すようにプレート枠２が形成される。
【００１７】
このように構成されるプレート枠２は、図５に示すように、壁面の裏側に沿って配置された配線器具取付用ボックスや中空壁用取付枠等（図示せず）に止めねじ４２により、予め配線器具５をそれぞれ取り付けた配線器具取付枠４，４をそれぞれ取り付け、これらの配線器具取付枠４の取付ねじ孔４１に、プレート枠２を形成する各結合部材２４の中央に形成された挿通孔２６から挿通した取付ねじ５１を螺締して、プレート枠２を壁面の表面（図示せず）に配置固定する。
【００１８】
そして、各配線器具取付枠４（配線器具５）をそれぞれ取り付けた２個の装着窓２１に、それぞれ一つの装着窓２１に対応して個別に形成された化粧プレート３を装着する（図６参照）。
【００１９】
このとき、各装着窓２１を形成する結合部材２４の両端に形成される係合凹部２５に図７に示すように、化粧プレート３の裏面に突設された係止突起３２を係合することにより、化粧プレート３の着脱を確実且つ簡単に行うことができる。
【００２０】
尚、本実施の形態では、プレート枠２に形成されている一個の装着窓２１に１個の化粧プレート３を装着することとしたため、数種類の化粧プレート３を予め用意するだけで、例えば図８に示すように複数の装着窓２１を配線器具５の種類や配置に対応することが可能であり、プレート枠２に形成されている複数の装着窓２１を１個の化粧プレート３で覆う従来の化粧プレート３（図９参照）のように多数種類のものを用意しておく必要がなく、きわめて経済的である。
【００２１】
また、図１０に示したものは、前記実施の形態と異なり中間部材２３を用いずに一対の側部材２２，２２だけを用いて１個の装着窓２１を有するプレート枠２を形成したものであり、このように、本実施の形態では、一対の側部材２２，２２だけを用いて１個の装着窓２１を有するプレート枠２を形成することもできる。
【００２２】
また、図１１は本発明の異なる実施の形態を示すものであり、全体の構成は前記実施の形態とほぼ同様であるが、側部材２２，２２および中間部材２３に先端に係止孔２２７への係止部２４１を有する結合部材２４の基端が、一体的に合成樹脂により形成されている。
【００２３】
従って、別体の結合部材２４を用いた前記実施の形態に比べてプレート枠２を形成するための作業が容易であるとともに、部品点数が少なく、製造ならびに管理などの面でも有利である。
【００２４】
更に、図１２乃至１５は本発明の更に異なる実施の形態を示すものであり、図１２に示したものは前記図１乃至８に示した実施の形態と、図１３に示したものは前記図１１に示した実施の形態とそれぞれほぼ同様の構成を有するが、各側部材２２における遊端部２２１ならびに遊端部２２４、および中間部材２３における横部材２３４，２３４が、各側部材２２の縦長な基端部２２５の内側および中間部材２３における基端部２３１の両側端にそれぞれ形成される化粧プレート３を面一に嵌装させる段部２２６、段部２３５，２３５の高さ位置に延設されている点、更には、各側部材２２における基端部２２５と遊端部２２１および遊端部２２４とがそれぞれ交差する外側部と、中間部材２３における基端部２３１と横部材２３４，２３４とが交差する各外側部に、図１４に示した化粧プレート３の裏面における上下端縁に突設した上下方向の位置決め用の係止突壁３３がそれぞれ係止する係止溝２７が形成されている。また、化粧プレート３の縦方向の長さｄがプレート枠２の長さｅに等しく形成されている。
【００２５】
これらの実施の形態の使用方法ならびに利点などは前記実施例とほぼ同様であるが、殊に、図１５に示すように、前記実施の形態と異なり、各側部材２２同士或いは各側部材２２と中間部材２３との間に形成される連結部が化粧プレート３により隠蔽されるので美観に優れている。
【００２６】
【発明の効果】
以上のように本発明は、一対の側部材同士、更には前記両側部材の間に中間部材を介して連結することにより、１または２以上の配線器具の装着窓を有するプレート枠を形成することができるので、従来のように、多数種類のプレート枠を予め用意しておく必要がなく、きわめて経済的である。
【００２７】
また、側部材同士、側部材と中間部材との連結もきわめて簡単な操作で行うことができ、形成されるプレート枠も従来の一体的に形成されたものと同様に使用することができ、強度ならびに耐久性の面でも何ら心配がない。
【図面の簡単な説明】
【図１】本発明の実施の形態に用いられるプレート枠を示す正面図であり、（Ａ）は組立前の状態、（Ｂ）は組立後の状態を示す 。
【図２】図１に示した実施の形態に用いられる側部材を示すものであり、（Ａ）は正面図、（Ｂ）は側面図、（Ｃ）は裏面図、（Ｄ）は（Ａ）におけるＸ−Ｘ線に沿う断面図。
【図３】図１に示した実施の形態に用いられる連結部材を示すものであり、（Ａ）は正面図、（Ｂ）は平面図。
【図４】図１に示した実施の形態に用いられる中間部材を示すものであり、（Ａ）は正面図、（Ｂ）は側面図、（Ｃ）は裏面図、（Ｄ）は（Ａ）におけるＸ−Ｘ線に沿う断面図。
【図５】図１に示した実施の形態の使用状態の説明図。
【図６】図１に示した実施の形態の使用状態の説明図。
【図７】図１に示した実施の形態に用いられる化粧プレートを示すものであり、（Ａ）は正面図、（Ｂ）は（Ａ）におけるＹ−Ｙ線に沿う断面図側面図、（Ｃ）は裏面図、（Ｄ）は（Ａ）におけるＸ−Ｘ線に沿う断面図。
【図８】図１に示した実施の形態の異なる使用状態を示す説明図。
【図９】従来の多数種類の化粧プレートを示す正面図。
【図１０】図１に示した実施の形態の異なる使用状態によって形成されるプレート枠を示す正面図であり、（Ａ）は組立前の状態、（Ｂ）は組立後の状態を示す。
【図１１】本発明の異なる実施の形態を示す正面図であり、（Ａ）は組立前の状態、（Ｂ）は組立後の状態を示す。
【図１２】本発明の更に異なる実施の形態に用いられるプレート枠を示す正面図であり、（Ａ）は組立前の状態、（Ｂ）は組立後の状態を示す 。
【図１３】本発明の更に異なる実施の形態に用いられるプレート枠を示す正面図であり、（Ａ）は組立前の状態、（Ｂ）は組立後の状態を示す 。
【図１４】図１２およ図１３に示したプレート枠に用いられる化粧プレートを示すものであり、（Ａ）は正面図、（Ｂ）は（Ａ）におけるＹ−Ｙ線に沿う断面図側面図、（Ｃ）は裏面図、（Ｄ）は（Ａ）におけるＸ−Ｘ線に沿う断面図。
【図１５】図１２または図１３に示したプレート枠に図１３に示した化粧プレートを用いた場合の使用状態説明図。
【図１６】従来例における取付け手順を示す説明図。
【図１７】従来例におけるプレート枠を示す正面図。
【符号の説明】
１  配線器具用化粧プレート
２  プレート枠
３  化粧プレート
５  配線器具
２１  装着窓
２２  側部材
２３  中間部材
２４  結合部材
２２１  遊端部
２２４  遊端部
【図１】
0004198250.tif 000002
【図２】
0004198250.tif 000003
【図３】
0004198250.tif 000004
【図４】
0004198250.tif 000005
【図５】
0004198250.tif 000006
【図６】
0004198250.tif 000007
【図７】
0004198250.tif 000008
【図８】
0004198250.tif 000009
【図９】
0004198250.tif 000010
【図１０】
0004198250.tif 000011
【図１１】
0004198250.tif 000012
【図１２】
0004198250.tif 000013
【図１３】
0004198250.tif 000014
【図１４】
0004198250.tif 000015
【図１５】
0004198250.tif 000016
【図１６】
0004198250.tif 000017
【図１７】
0004198250.tif 000018